(57)【要約】【課題】  安価でかつ効果の高い、畜舎の消臭方法および消臭機構を提供する。【解決手段】  家畜の糞尿による畜舎Ｓ内の悪臭を消臭するための畜舎の消臭機構であって、植物性の材料を蒸し焼きにする蒸焼炉２と、蒸焼炉２に連通し、畜舎Ｓ内に開口する煙突４とを備える。  そして、蒸焼炉２内で植物性の材料を蒸し焼きにし、蒸し焼きの際に発生した煙を煙突４を通じて畜舎Ｓ内に導入して充満させて、家畜の糞尿による畜舎Ｓ内の悪臭を消臭する。【選択図】          図２
2005237369.tif 000002
【特許請求の範囲】
【請求項１】
植物性の材料を蒸し焼きにし、該蒸し焼きの際に発生した煙を畜舎内に充満させて、家畜の糞尿による畜舎内の悪臭を消臭することを特徴とする畜舎の消臭方法。
【請求項２】
前記蒸し焼きを蒸焼炉内で行い、該蒸焼炉内に連通し畜舎内に開口する煙突を通じて、前記煙を畜舎内に導入することを特徴とする請求項１記載の畜舎の消臭方法。
【請求項３】
前記植物性の材料は、農産廃棄物であることを特徴とする請求項１または２記載の畜舎の消臭方法。
【請求項４】
前記植物性の材料は、粒状物であることを特徴とする請求項１〜３のうちのいずれか一項記載の畜舎の消臭方法。
【請求項５】
前記植物性の材料は、籾殻、蕎麦殻、おが屑、および木材チップから選ばれる一種以上の材料であることを特徴とする請求項４記載の畜舎の消臭方法。
【請求項６】
家畜の糞尿による畜舎内の悪臭を消臭するための畜舎の消臭機構であって、
植物性の材料を蒸し焼きにする蒸焼炉と、
該蒸焼炉に連通し、畜舎内に開口する煙突とを備えることを特徴とする畜舎の消臭機構。
【請求項７】
前記蒸焼炉は畜舎外に配設され、
前記煙突は、前記蒸焼炉から、畜舎の壁部を貫通して畜舎内に連通されていることを特徴とする請求項６記載の畜舎の消臭機構。
【発明の詳細な説明】
【技術分野】
【０００１】
本発明は、家畜の糞尿による畜舎内の悪臭を消臭するための畜舎の消臭方法および消臭機構に関する。
【背景技術】
【０００２】
従来より、畜産業においては、家畜が飼われる家畜舎や、家畜の糞尿が蓄積される堆肥舎等の畜舎内で発生する家畜の糞尿の悪臭が、近隣住宅に対する悪臭公害等に繋がるため、その消臭方法が種々工夫されている。
従来の消臭方法としては、臭気ガスを水や薬液に溶かして臭いを取る水洗法、臭気ガスをおが屑や籾殻等に通して臭いを取る吸着法、臭気ガスを所定材料に溶解または吸着させ、所定材料中の微生物の働きで臭いを取る生物脱臭法等が考えられている。
【０００３】
畜舎の消臭装置および消臭方法の従来例が、特許文献１に記載されている。
特許文献１記載のウインドレス畜舎用脱臭装置は、畜舎内の空気を、畜舎の真下に地下空間が設けられた地下空間に導き、地下空間内に消臭用薬液を放出して、消臭を行う（水洗法の一種である）。
【０００４】
【特許文献１】特開２００２−３５０９５号公報（段落０００２８−００３８、第１図）
【発明の開示】
【発明が解決しようとする課題】
【０００５】
しかしながら、特許文献１に記載された脱臭装置は、畜舎下に地下空間を設ける必要があって設備コストが嵩むとともに、消臭用薬液の購入や、使用した消臭用薬液の処理・排出にコストが掛かってしまうという課題がある。
また、従来の他の消臭方法である、吸着法や生物脱臭法においても、設備コストやランニングコストが掛かってしまうという課題がある。
【０００６】
そこで、本発明は上記課題を解決すべくなされたものであり、その目的とするところは、安価でかつ効果の高い、畜舎の消臭方法および消臭機構を提供することにある。
【課題を解決するための手段】
【０００７】
本願発明者は、上記課題を解決するために精査研究を行い、直物性の材料を蒸し焼きにした際に発生する煙を畜舎内に充満させると、畜舎内の悪臭が消えることを見い出し、本願発明に到達した。
【０００８】
すなわち、本発明に係る畜舎の消臭方法は、上記目的を達成するため次の構成を備える。植物性の材料を蒸し焼きにし、該蒸し焼きの際に発生した煙を畜舎内に充満させて、家畜の糞尿による畜舎内の悪臭を消臭することを特徴とする。
【０００９】
さらに、前記蒸し焼きを蒸焼炉内で行い、該蒸焼炉内に連通し畜舎内に開口する煙突を通じて、前記煙を畜舎内に導入することを特徴とする。
これによれば、蒸焼炉により蒸し焼きを行うから、広い場所を占有せず、かつ、より高効率に蒸し焼きを行うことができる。
【００１０】
また、前記植物性の材料は、農産廃棄物であることを特徴とする。
これによれば、材料コストが掛からない。
【００１１】
また、前記植物性の材料は、粒状物であることを特徴とする。
さらに、前記植物性の材料は、籾殻、蕎麦殻、おが屑、および木材チップから選ばれる一種以上の材料であることを特徴とする。
これによれば、蒸し焼きの際の酸素供給が好適となり、より好適かつ高効率に蒸し焼きがなされる。
【００１２】
また、本発明に係る畜舎の消臭機構は、上記目的を達成するため次の構成を備える。すなわち、家畜の糞尿による畜舎内の悪臭を消臭するための畜舎の消臭機構であって、植物性の材料を蒸し焼きにする蒸焼炉と、該蒸焼炉に連通し、畜舎内に開口する煙突とを備えることを特徴とする。
【００１３】
さらに、前記蒸焼炉は畜舎外に配設され、前記煙突は、前記蒸焼炉から、畜舎の壁部を貫通して畜舎内に連通されていることを特徴とする。
これによれば、蒸焼炉は畜舎外に配設されることから、畜舎内の場所を取らず、また、蒸焼炉に対する酸素供給が好適となる。
【発明の効果】
【００１４】
本発明に係る畜舎の消臭方法および消臭機構によれば、植物性の材料を蒸し焼きにした煙により、効果の高い消臭を行うことができる。また、充満した煙により畜舎内への鼠の侵入を防ぎ、鼠が媒体となるサルモネラ菌の畜舎内における繁殖を防ぐことができる。また、植物性の材料、特には籾殻、蕎麦殻、おが屑、および木材チップ等の農産廃棄物を用いることから、材料コストがほとんど掛からない。さらには、蒸し焼きにより発生した炭は、家畜の糞尿を発酵させる際の水分調整に用いたり、田畑の堆肥として用いることができるため、農家の営農上の経済効率を高めることができる。
また、本発明に係る畜舎の消臭機構によれば、蒸焼炉と煙突といった極簡単な構成であるから、設備コストを低く抑えることができる。
【発明を実施するための最良の形態】
【００１５】
以下、本発明の好適な実施の形態について、添付図面を用いて詳細に説明する。
【実施例１】
【００１６】
図１および図２は、本発明に係る畜舎の消臭方法および消臭機構の実施例１を示す説明図である。図１は斜視説明図、図２は断面説明図である。
実施例１の畜舎の消臭機構は、植物性の材料を蒸し焼きにする蒸焼炉２と、蒸焼炉２の内部に連通し、畜舎としての、家畜の糞尿が蓄積される堆肥舎Ｓの内部に開口する煙突４とを備える。
蒸焼炉２は、堆肥舎Ｓ外に配設される。また、煙突４は、蒸焼炉２から、堆肥舎Ｓの壁部Ｓａを貫通して堆肥舎Ｓ内に連通されて開口している。
また、図２に示すように、煙突４の開口端部には、開口端部から若干離間して開口端部に対向するよう、傘部８が設けられる。
【００１７】
蒸焼炉２の構成を図３に示す。
蒸焼炉２は、中空の箱状に形成された本体２ａと、本体２ａの上面に開口部に形成された投入口２ｅと、投入口２ｅを開閉自在に覆う蓋部２ｄと、本体２ａの下部側の側面に開口部に形成された空気供給口兼点火口２ｂと、空気供給口兼点火口２ｂの若干上方に、本体２ａ内を上下に分割するように設けられた網部材２ｃとを備える。
【００１８】
空気供給口兼点火口２ｂには、空気供給口兼点火口２ｂの開口量ａを調節可能な、スライド式の蓋部（風量調節部２ｆ）を設けることで、蒸し焼きの際に本体２ａ内に供給される空気量を調整可能に設ける。
【００１９】
蒸焼炉２の本体２ａの上部には、煙突４が連通される。
煙突４の、蒸焼炉２本体２ａとの接合部の近傍には、煙量調節弁６が設けられる。煙量調節弁６は、煙突４の側面に周方向に延びて形成されたスリット状の開口部から、煙突４内に挿入された、板状部材から成る。煙量調節弁６は、作業者によって煙突４への挿入量が調節されることで、蒸し焼きの際に本体２ａ内に発生した煙の、煙突４内へ（堆肥舎Ｓ内へ）の流量を調節することができる。
なお、煙量調節弁６は、煙突４の、堆肥舎Ｓ内の開口端部側に設けて、煙の堆肥舎Ｓ内への流量を調節可能に設けてもよい。
【００２０】
次に、実施例１の畜舎の消臭機構を用いた、畜舎の消臭方法を説明する。
【００２１】
まず、蒸焼炉２の本体２ａ内に、蒸し焼きする直物性の材料を投入する。
蒸焼炉２にて蒸し焼きされる植物性の材料は、蓋部２ｄを開けた状態で投入口２ｅから本体２ａ内に投入できる。蓋部２ｄは、材料の投入時に作業者により開けられ、蒸し焼きの最中の常時は閉じられる。
本体２ａ内に投入された直物性の材料は、網部材２ｃ上に積層する。
なお、蒸し焼きに用いる直物性の材料としては、籾殻、蕎麦殻、おが屑、および木材チップ等の、粒状の農産廃棄物が好適である。
【００２２】
蒸し焼きを開始する際には、本体２ａ内に直物性の材料を積層した状態で、空気供給口兼点火口２ｂから火種を投入して、網部材２ｃの網目を介して、植物性の材料の層の下部に点火する。このように、直物性の材料の層の下部に点火することで、植物性の材料は燻るようにして蒸し焼きされ、炭化される。作業者は、この蒸し焼き（炭化）が好適に進むよう、前記風量調節部２ｆにより開口量ａを調節して、本体２ａ内に供給される空気量を調整するとよい。
【００２３】
ここで、蒸し焼きする植物性の材料として、籾殻、蕎麦殻、おが屑、および木材チップ等の粒状物を用いれば、積層された粒状物中に含まれる空気等により、蒸し焼きの際に供給される空気量が自然に好適となり、蒸し焼きが速やかかつ好適になされる。
【００２４】
蒸焼炉２内で蒸し焼きを行うと、発生した煙は煙突４を通じて堆肥舎Ｓ内に供給され、堆肥舎Ｓ内に充満する。
この際、糞尿の発酵時に発生する熱で上昇気流が発生することにより、堆肥舎Ｓ内には空気の対流が発生しているため、堆肥舎Ｓ内に供給された煙は、その対流に乗って堆肥舎Ｓ内に満遍なく行き渡る。
なお、堆肥舎Ｓ内に供給する煙の量は、煙量調節弁６により調節できる。
【００２５】
そして、堆肥舎Ｓ内に供給された煙により、堆肥舎Ｓ内の糞尿による悪臭が消臭されることを、本願発明者は確認している。
本願発明者は、植物の蒸し焼きの際に発生した煙によって、なぜ糞尿の悪臭が消臭されるのかについては、未だ解明には至っていないが、煙が糞尿に浸透するなどすることにより、マスキングの効果によって臭い成分の発生が抑えられるなどによるものと推測している。
【００２６】
また、充満した煙により畜舎内への鼠の侵入を防ぎ、鼠が媒体となるサルモネラ菌の畜舎内における繁殖を防ぐことができる。
また、蒸し焼きの結果発生した炭や灰は、堆肥舎Ｓ内の糞尿を発酵させる際の水分調整に好適に用いることができる（従来は、農家は、水分調節用の炭化物等を購入する必要があった）。さらに、蒸し焼きする植物性の材料として、籾殻、蕎麦殻、おが屑、および木材チップ等の農産廃棄物を用いれば、材料コストが全く掛からない上、農産廃棄物を処理するためのコストが掛からず、農家にとって非常に経済効率がよい。
【実施例２】
【００２７】
本発明に係る畜舎の消臭機構の実施例２を、図４の断面説明図に示す。実施例２の、実施例１との構成上の相違点は、蒸焼炉２が堆肥舎Ｓ内に設けられ、煙突４がそのまま堆肥舎Ｓ内で開口している点であり、その他の構成は同一である。
【００２８】
実施例１と実施例２とを比較すると、実施例１は、蒸焼炉２が堆肥舎Ｓ外に設けられているため、堆肥舎Ｓ内のスペースを広く取ることができるとともに、蒸焼炉に対する酸素供給が好適となるという利点がある。一方、実施例２は、作業者が堆肥舎Ｓ内外に出入する必要なく、堆肥舎Ｓ内で糞尿を処理する作業を行いながら、蒸焼炉２に植物性の材料を供給したり風量調節部２ｆ等により燃焼状態を調節したりできるため、作業者の作業効率がよくなるといった利点がある。
【産業上の利用可能性】
【００２９】
上記実施の形態においては、家畜の糞尿が蓄積される堆肥舎内を消臭する消臭方法および消臭機構を例に取って説明を行ったが、本発明はこれに限定されるものではなく、家畜が飼われる家畜舎等、家畜の糞尿が置かれる畜舎であれば、あらゆる畜舎に応用することができる。
【図面の簡単な説明】
【００３０】
【図１】本発明の実施例１に係る畜舎の消臭方法および消臭機構を示す説明図である。
【図２】本発明の実施例１に係る畜舎の消臭方法および消臭機構を示す説明図である。
【図３】蒸焼炉の構成を示す説明図である。
【図４】本発明の実施例２に係る畜舎の消臭方法および消臭機構を示す説明図である。
【符号の説明】
【００３１】
Ｓ  堆肥舎（畜舎）
Ｓａ  壁部
２  蒸焼炉
４  煙突
【図１】
2005237369.tif 000003
【図２】
2005237369.tif 000004
【図３】
2005237369.tif 000005
【図４】
2005237369.tif 000006